(57)【要約】【課題】たて樋同士を接続した時に、その接続部から継手が見えず、外観がよい接続ができ、かつ水漏れの恐れが少ないたて樋用継手を提供する。【解決手段】上側が上流側挿入接続部とされ、下側の外周面に雄ねじが設けられた上側継手体と、内周面に上記雄ねじに螺合する雌ねじが設けられ、外周面が下流側挿入接続部とされた下側継手体とからなる。【選択図】  図１
2004245323.tif 000002
【特許請求の範囲】
【請求項１】
上側が上流側挿入接続部とされ、下側の外周面に雄ねじが設けられた上側継手体と、内周面に上記雄ねじに螺合する雌ねじが設けられ、外周面が下流側挿入接続部とされた下側継手体とからなることを特徴とするたて樋用継手。
【発明の詳細な説明】
【０００１】
【発明の属する技術分野】
本発明は、たて樋の内周面に装着してたて樋同士を接続するための継手に関する。
【０００２】
【従来の技術】
たて樋の内周面に装着してたて樋同士を接続する継手として、筒状の継手体の上側を水上側挿入筒部となし、同下側を水下側挿入筒部となし、該水下側挿入筒部の先端部分に先細形状となったテーパー部を形成し、水上側挿入筒部の先端部分の外形寸法を接続される竪管の内径寸法に略合致せしめると共に、同水上側挿入筒部の中程外周に接着剤溜凹溝を形成してなる竪樋継手が知られている（例えば、特許文献１参照。）。
【０００３】
しかしながら、この継手は、継手の中程に設けられる鍔状部がたて樋の接合部から露出するために、美的外観が悪いという問題点がある。
【０００４】
別に、金属製の筒体の中程に、外方へ凸曲して該凸曲した部分を圧潰して成形した鍔状部を設け、同筒体の該鍔状部の両側を接続用挿入筒部となし、該接続用筒部の中程に内方へ凹曲した溝状部を設け、該溝状部に弾性材でなる防水リングを嵌着してなる竪樋継手が知られている（例えば、特許文献２参照。）。
【０００５】
しかしながら、この継手は、継手の中程に設けられる鍔状部がたて樋の接合部から露出するために美的外観が悪くなるうえ、経年的に防水リングに用いられる弾性材の劣化が起こり、そのために水漏れが発生し易いという問題点がある。
【０００６】
【特許文献１】特開平５−２４８０４８号公報
【特許文献２】特開平４−３７１６４８号公報
【０００７】
【発明が解決しようとする課題】
本発明は、たて樋同士を接続した時に、その接続部から継手が見えず、外観がよい接続ができ、かつ水漏れの恐れが少ないたて樋用継手を提供する目的でなされたものである。
【０００８】
【課題を解決するための手段】
上記課題を解決するための本発明の請求項１記載のたて樋用継手は、上側が上流側挿入接続部とされ、下側の外周面に雄ねじが設けられた上側継手体と、内周面に上記雄ねじに螺合する雌ねじが設けられ、外周面が下流側挿入接続部とされた下側継手体とからなることを特徴とする。
【０００９】
本発明においては、上側継手体と下側継手体とは互いに螺合されて一体化し、一体化された継手は、そのいずれの外周面も、たて樋内周面に密着して固定されるものである。また、本発明においては、上側継手体又は下側継手体は、その材質は特に限定されるものではない。
【００１０】
本発明においては、上側継手体の上流側挿入接続部は、上流側のたて樋内周面に挿入装着されて密着し、接続固定される。接続方法は、上側継手体とたて樋とのそれぞれの材質によって、通常適用される接続方法から適宜選択すれば良く、限定されることはない。例えば、上側継手体もたて樋も塩化ビニル樹脂であれば、塩化ビニル樹脂用接着剤で接着接続されれば良く、どちらも繊維等を併用した複合樹脂であれば、接着又は融着等の方法で接続すればよい。また、いずれもステンレススチール、銅等の金属であれば、例えば接着以外に溶接等の方法をとることもできる。なお、下側継手体の下流側挿入接続部と下流側のたて樋上部の内周面との接続も同様である。
【００１１】
上側継手体の下側の外周面には雄ねじが設けられ、一方、下側継手体の内周面には、これに螺合する雌ねじが設けられている。上側の上流側挿入接続部の、下側の螺旋条部開始位置における外径は、上流側たて樋の外径と略同じとされる。従って、上側継手体を上流側のたて樋内に配置する時に、たて樋端部と雄ねじ部とを一致させ易くなる。
【００１２】
本発明においては、上記上側継手体の上流側挿入接続部の外径を、上流側のたて樋の内径と略一致せしめると共に、その先端部外側を先細形状のテーパー部とすることにより、上側継手体をたて樋内に挿入し易く、接続作業が楽になると共に、接着等による接続固定が確実に行われやすくなる。
【００１３】
また、上記下側継手体の下流側挿入接続部の外径を、下流側のたて樋の内径と略一致せしめると共に、その先端部外側を先細形状のテーパー部とすることにより、下側継手体をたて樋内に挿入し易く、接続作業が楽になると共に、接着等による接続固定が確実に行われやすくなる。
【００１４】
更に本発明においては、上記上側継手体の上流側挿入接続部の外径を上流側のたて樋の内径と略一致せしめると共に、その先端部外側を先細形状のテーパー部とし、上記下側継手体の下流側挿入接続部の外径を下流側のたて樋の内径と略一致せしめると共に、その先端部外側を先細形状のテーパー部とすることにより、上側継手体をたて樋内に挿入し易く、同時に下側継手体をたて樋内に挿入し易く、接続作業がさらに楽になると共に、接着等による接続固定が確実に行われ易くなる。
【００１５】
（作用）
本発明は、上流側のたて樋と上側継手体、及び下流側のたて樋と下側継手体とが、いずれもたて樋内に挿入され、例えば接着等で接続され、しかもそれらが螺合により接続されるので、上側継手体と下側継手体とがたて樋内部に収納され、接続後の接続部には、上下のたて樋同士の突き合わせ線のみが見える。従って接続部の外観が良くなる。しかも、通常のたて樋同士の接続時と同じく、継手本体とたて樋とは接着等により接続され、パッキン等を用いないので、経年に渡り水漏れ等の恐れが少ない。
【００１６】
【発明の実施の形態】
次に図面を参照して本発明を説明する。図１は、本発明のたて樋用継手の一例を示す半断面図である。
【００１７】
本例で示すたて樋用継ぎ手１は、塩化ビニル樹脂製のもので説明する。たて樋用継手１は、円筒状の上側継手体２と円筒状の下側継手体３の二つの部品で構成されている。上側継手体２は、上側が上流側挿入接続部２１とされ、下側の外周面に雄ねじ２２が設けられている。下側継手体３は、内周面に上記雄ねじ２２に螺合する雌ねじ３２が設けられ、外周面が下流側挿入接続部３１とされている。
【００１８】
上側継手体２の上流側挿入接続部２１の外周面は、上流側のたて樋Ｕの内径と略同じとされていても、先細りのテーパー面とされて上流側のたて樋Ｕ内に挿入し易くされていても良い。テーパー面とした場合には、そのテーパー面下端部の外径は、接続される上流側のたて樋Ｕの内径と略同じとされ、上側継手体２をたて樋Ｕ内に挿入した時に、たて樋Ｕの下端部と雌ねじ３２の上端部とが一致しているかどうかが判定し易くなっている。
【００１９】
下側継手体３の下流側挿入接続部３１の外周面についても、同様にテーパー面とされていても良く、上側継手体２の上流側挿入接続部２１の外周面と、下側継手体３の下流側挿入接続部３１の外周面との、いずれもがテーパー面とされていても良い。
【００２０】
上側継手体２１と上流側のたて樋Ｕとの接続方法は、それぞれの材質によって適宜選択されれば良く、例えば、いずれも塩化ビニル樹脂等で作成されている場合では、塩化ビニル樹脂用の接着剤等で接着接続されれば良い。
【００２１】
下側継手体３の長さは、上記上側継手体２の雄ねじ２２の長さより長くされ、その内周面に、上側継手体２の外周面に設けられた雄ねじ２２に螺合する雌ねじ３２が設けられている。雌ねじ３２の設けられる下側継手体３の内周面長さは、上側継手体２の雄ねじ２２の長さより長くされていれば良く、下側継手体３の長さが長い場合は、必ずしも下側継手体３の内周面全てに渡って設けられている必要はない。しかしながら、下側継手体３の外径が均一である場合には、施工を容易にするために下側継手体２を上下逆にして施工されることを考慮して、内周面全面渡って雌ねじ３２を設けても良い。
【００２２】
下側継手体３と下流側のたて樋Ｌとの挿入接続法は、上側継手体２と上流側のたて樋Ｕとの場合と同じであるから、説明を省略する。
【００２３】
図２は本発明のたて樋用継手１を用いてたて樋Ｕ、Ｌ同士を接続する、接続手順を示す説明図である。本例では、一例として、塩化ビニル樹脂製のたて樋用継手を用いて塩化ビニル樹脂製たて樋を接続する場合を説明するが、これが全てではないことはいうまでもない。
【００２４】
まず、図２（ａ）のように、上流側のたて樋Ｕの上端部と下流側のたて樋Ｌの上端部とは、それぞれ管軸と直角となるように切断され、互いに端部同士を突き合わせた時に、突き合わせ部が線状になるようしておく。次いで、上側継手体２を上流側のたて樋Ｕ内に挿入し、例えば接着剤等を用いて接着接続する。この時、接着剤は、上流側のたて樋Ｕ内と上側継手体のテーパー太部以外のテーパー部とに塗布して挿入すれば、誤って雄ねじ２２に接着剤が付着することが防止される。
【００２５】
雄ねじ２２が、上流側のたて樋Ｕの下端部と一致、又は僅かに上流側のたて樋Ｕ内に浸入した位置で、上側継手体２の上流側のたて樋Ｕ内への挿入を停止し、雄ねじ２２が上流側のたて樋Ｕの下端部から突設するようにする。
【００２６】
図２（ｂ）のように、下側継手体３も、上側継手体２と同様にして、下流側のたて樋Ｌ内に接着剤等を用いて接着接続する、この時、下側継手体３が下流側のたて樋Ｌの上端部から突出しないように配置する。こうして、下流側のたて樋Ｌの上側端部内に雌ねじ３２があるようにする。
【００２７】
接着剤が固化後、図２（ｃ）のように、下流側のたて樋Ｌの上端部の雌ねじ３２を、上流側のたて樋Ｕの下端部に突設された雄ねじ２２に噛み合わせ、下流側のたて樋Ｌを回転させながら上流側のたて樋Ｕに螺合させて接続する。この時、螺旋部に接着剤等を塗布して螺合し、接続を確実にしても良い。
【００２８】
上流側のたて樋Ｕの下端部と下流側のたて樋Ｌの上端部とが接して、それ以上螺合できなくなったら回転を停止し、たて樋Ｕ、Ｌ同士の接続が完了する。
【００２９】
【発明の効果】
以上の通りであるから、本発明のたて樋用継手は、たて樋同士を接続した時に、その接続部から継手が見えず、外観がよい接続ができ、かつ水漏れの恐れが少ないたて樋用継手となるのである。
【図面の簡単な説明】
【図１】本発明のたて樋用継手の一例を示す半断面図である。
【図２】本発明のたて樋用継手を用いてたて樋を接続する接続手順の一例を示す説明図である。
【符号の説明】
１  たて樋用継手
２  上側継手体
２１  上流側挿入接続部
２２  雄ねじ
３  下側継手体
３１  下流側挿入接続部
３２  雌ねじ
Ｕ、Ｌ  たて樋
【図１】
2004245323.tif 000003
【図２】
2004245323.tif 000004